(57)【特許請求の範囲】
【請求項１】
セッション関連情報および前記セッション関連情報に関連するルーティング情報を含む第１メッセージを（Ｒ）ＡＮ（（Ｒａｄｉｏ）  Ａｃｃｅｓｓ  Ｎｅｔｗｏｒｋ）からＡＭＦ（Ａｃｃｅｓｓ  ａｎｄ  Ｍｏｂｉｌｉｔｙ  Ｍａｎａｇｅｍｅｎｔ  Ｆｕｎｃｔｉｏｎ）によって受信することと、
前記ＡＭＦによって、前記ルーティング情報に基づいて前記セッション関連情報を正しいＳＭＦ（Ｓｅｓｓｉｏｎ  Ｍａｎａｇｅｍｅｎｔ  Ｆｕｎｃｔｉｏｎ）にルーティングすることとを含み、
ここで、前記ルーティング情報は前記ＡＭＦによって割り当てられたＩＤを含むルーティング方法。
【請求項２】
第１メッセージを（Ｒ）ＡＮから前記ＡＭＦによって受信する前に、さらに、
セッション関連情報および前記セッション関連情報に関連するルーティング情報を含む第２メッセージを前記ＡＭＦによって前記（Ｒ）ＡＮに送信することを含み、
ここで、前記第１メッセージは、前記第２メッセージの確認メッセージである請求項１に記載のルーティング方法。
【請求項３】
第２メッセージを前記ＡＭＦによって前記（Ｒ）ＡＮに送信することは、
前記ＡＭＦによって、複数のＳＭＦから受信したセッション関連情報を、各セッション関連情報に関連するルーティング情報が付帯される１つの第２メッセージに合併させることと、
前記ＡＭＦによって前記第２メッセージを前記（Ｒ）ＡＮに送信することとを含む請求項２に記載のルーティング方法。
【請求項４】
前記ＡＭＦによって、前記ルーティング情報に基づいて前記セッション関連情報を正しいＳＭＦにルーティングすることは、
前記ＡＭＦが、前記第２メッセージを確認する第１メッセージを前記（Ｒ）ＡＮから受信すると、セッション関連情報に関連するルーティング情報に基づいて正しいＳＭＦを特定し、前記セッション関連情報を前記ＳＭＦに送信することを含む請求項３に記載のルーティング方法。
【請求項５】
前記ルーティング情報は、ＰＤＵ（Ｐｒｏｔｏｃｏｌ  Ｄａｔａ  Ｕｎｉｔ）セッションＩＤ、前記ＳＭＦの情報のうちのいずれか１つまたは複数と前記ＡＭＦによって割り当てられたＩＤとの組み合わせである請求項１〜４のいずれか一項に記載のルーティング方法。
【請求項６】
前記ＡＭＦによって割り当てられたＩＤは、
前記ＡＭＦによって、セッション関連情報を含む第３メッセージをＳＭＦから受信する際に割り当てたＩＤであって、前記セッション関連情報に対応する一時的なＩＤである請求項１に記載のルーティング方法。
【請求項７】
前記ＳＭＦの情報は、
前記ＳＭＦのＩＤ、前記ＳＭＦのＦＱＤＮ（Ｆｕｌｌｙ  Ｑｕａｌｉｆｉｅｄ  Ｄｏｍａｉｎ  Ｎａｍｅ）、前記ＳＭＦのＩＰアドレスおよび前記ＳＭＦのＴＥＩＤ（Ｔｕｎｎｅｌ  Ｅｎｄｐｏｉｎｔ  Ｉｄｅｎｔｉｆｉｅｒ）のうちのいずれか１つまたは複数である請求項５に記載のルーティング方法。
【請求項８】
前記ＡＭＦによって、前記ルーティング情報と前記ルーティング情報に対応するＳＭＦとの間のルーティング関係を記憶することをさらに含む請求項１〜７のいずれか一項に記載のルーティング方法。
【請求項９】
セッション関連情報および前記セッション関連情報に関連するルーティング情報を含む第１メッセージを（Ｒ）ＡＮ（（Ｒａｄｉｏ）  Ａｃｃｅｓｓ  Ｎｅｔｗｏｒｋ）からＡＭＦ（Ａｃｃｅｓｓ  ａｎｄ  Ｍｏｂｉｌｉｔｙ  Ｍａｎａｇｅｍｅｎｔ  Ｆｕｎｃｔｉｏｎ）に送信することを含み、
前記ルーティング情報は、前記ＡＭＦによって前記セッション関連情報を正しいＳＭＦ（Ｓｅｓｓｉｏｎ  Ｍａｎａｇｅｍｅｎｔ  Ｆｕｎｃｔｉｏｎ）にルーティングすることに用いられ、
前記ルーティング情報は前記ＡＭＦによって割り当てられたＩＤを含むルーティング方法。
【請求項１０】
第１メッセージを（Ｒ）ＡＮから前記ＡＭＦに送信する前に、さらに、
セッション関連情報および前記セッション関連情報に関連するルーティング情報を含む第２メッセージを、前記（Ｒ）ＡＮが前記ＡＭＦから受信することを含み、
ここで、前記第１メッセージは、前記第２メッセージの確認メッセージである請求項９に記載のルーティング方法。
【請求項１１】
前記ルーティング情報は、ＰＤＵセッションＩＤ、前記ＳＭＦの情報のうちのいずれか１つまたは複数と前記ＡＭＦによって割り当てられたＩＤとの組み合わせである請求項９または１０に記載のルーティング方法。
【請求項１２】
前記ＡＭＦによって割り当てられたＩＤは、
前記ＡＭＦによって、セッション関連情報を含む第３メッセージを前記ＳＭＦから受信する際に割り当てたＩＤであって、前記セッション関連情報に対応する一時的なＩＤである請求項９に記載のルーティング方法。
【請求項１３】
前記ＳＭＦの情報は、
前記ＳＭＦのＩＤ、前記ＳＭＦのＦＱＤＮ、前記ＳＭＦのＩＰアドレスおよび前記ＳＭＦのＴＥＩＤのうちのいずれか１つまたは複数である請求項１１に記載のルーティング方法。
【請求項１４】
セッション関連情報および前記セッション関連情報に関連するルーティング情報を含む第１メッセージを（Ｒ）ＡＮ（（Ｒａｄｉｏ）  Ａｃｃｅｓｓ  Ｎｅｔｗｏｒｋ）から受信することに用いられる第１受信モジュールと、
前記ルーティング情報に基づいて前記セッション関連情報を正しいＳＭＦ（Ｓｅｓｓｉｏｎ  Ｍａｎａｇｅｍｅｎｔ  Ｆｕｎｃｔｉｏｎ）にルーティングすることに用いられるルーティングモジュールとを含み、
ここで、前記ルーティング情報はＡＭＦ（Ａｃｃｅｓｓ  ａｎｄ  Ｍｏｂｉｌｉｔｙ  Ｍａｎａｇｅｍｅｎｔ  Ｆｕｎｃｔｉｏｎ）によって割り当てられたＩＤを含むＡＭＦ機器。
【請求項１５】
セッション関連情報および前記セッション関連情報に関連するルーティング情報を含む第１メッセージをＡＭＦ（Ａｃｃｅｓｓ  ａｎｄ  Ｍｏｂｉｌｉｔｙ  Ｍａｎａｇｅｍｅｎｔ  Ｆｕｎｃｔｉｏｎ）に送信することに用いられる第２送信モジュールを含み、
前記ルーティング情報は、前記ＡＭＦによって前記セッション関連情報を正しいＳＭＦ（Ｓｅｓｓｉｏｎ  Ｍａｎａｇｅｍｅｎｔ  Ｆｕｎｃｔｉｏｎ）にルーティングすることに用いられ、
前記ルーティング情報は前記ＡＭＦによって割り当てられたＩＤを含む（Ｒ）ＡＮ機器。
【発明の詳細な説明】
【技術分野】
【０００１】
本願は、２０１７年２月６日に中国特許庁に提出された中国特許出願２０１７１００６５５０１．１の優先権を主張し、その全ての内容が援用によりここに取り込まれる。
本開示の実施例は、通信技術分野に係り、特にルーティング方法および装置に係る。
【背景技術】
【０００２】
従来、ＳＭＦ（Ｓｅｓｓｉｏｎ  Ｍａｎａｇｅｍｅｎｔ  Ｆｕｎｃｔｉｏｎ）から単にＡＭＦ（Ａｃｃｅｓｓ  ａｎｄ  Ｍｏｂｉｌｉｔｙ  Ｍａｎａｇｅｍｅｎｔ  Ｆｕｎｃｔｉｏｎ）にＳＭ（Ｓｅｓｓｉｏｎ  Ｍａｎａｇｅｍｅｎｔ）情報を送信するが、ＡＭＦによって当該情報を解析しない。よって、（Ｒ）ＡＮ（（Ｒａｄｉｏ）  Ａｃｃｅｓｓ  Ｎｅｔｗｏｒｋ）から応答メッセージが返信された場合、ＡＭＦによって当該応答メッセージをルーティングできないという技術的な問題が存在する可能性がある。
【０００３】
よって、以上言及された技術的な問題を少なくとも部分的に解決しまたは改善する実行可能な手段は、なるべく早く提案されることが必要である。
【発明の概要】
【発明が解決しようとする課題】
【０００４】
以上の技術的な問題に鑑み、本開示の実施例は、（Ｒ）ＡＮから送信されたＳＭ関連情報を、ＡＭＦがルーティングできないという技術的な問題を解決するルーティング方法および装置を提供する。
【課題を解決するための手段】
【０００５】
本開示の実施例の１つの態様によれば、セッション関連情報および前記セッション関連情報に関連するルーティング情報を含む第１メッセージを（Ｒ）ＡＮからＡＭＦによって受信することと、前記ＡＭＦによって、前記ルーティング情報に基づいて前記セッション関連情報を正しいＳＭＦにルーティングすることとを含むルーティング方法が提供される。
【０００６】
選択可能に、前記ルーティング方法は、第１メッセージを（Ｒ）ＡＮからＡＭＦによって受信する前に、さらに、セッション関連情報および前記セッション関連情報に関連するルーティング情報を含む第２メッセージを前記ＡＭＦによって前記（Ｒ）ＡＮに送信することを含み、ここで、前記第１メッセージは、前記第２メッセージの確認メッセージである。
【０００７】
選択可能に、第２メッセージを前記ＡＭＦによって前記（Ｒ）ＡＮに送信することは、前記ＡＭＦによって、複数のＳＭＦから受信したセッション関連情報を、各セッション関連情報に関連するルーティング情報が付帯される１つの第２メッセージに合併させることと、前記ＡＭＦによって前記第２メッセージを前記（Ｒ）ＡＮに送信することとを含む。
【０００８】
選択可能に、前記ＡＭＦによって、前記ルーティング情報に基づいて前記セッション関連情報を正しいＳＭＦにルーティングすることは、前記ＡＭＦによって、前記第２メッセージを確認する第１メッセージを前記（Ｒ）ＡＮから受信すると、セッション関連情報に関連するルーティング情報に基づいて正しいＳＭＦを特定し、前記セッション関連情報を前記ＳＭＦに送信することを含む。
【０００９】
選択可能に、前記ルーティング情報は、ＰＤＵ（Ｐｒｏｔｏｃｏｌ  Ｄａｔａ  Ｕｎｉｔ）セッションＩＤ、ＡＭＦによって割り当てられたＩＤ、ＳＭＦの情報のうちのいずれか１つまたは複数である。
【００１０】
選択可能に、前記ＡＭＦによって割り当てられたＩＤは、ＡＭＦによって、セッション関連情報を含む第３メッセージをＳＭＦから受信する際に割り当てたＩＤであって、セッション関連情報に対応する一時的なＩＤである。
【００１１】
選択可能に、前記ＳＭＦの情報は、ＳＭＦのＩＤ、ＳＭＦのＦＱＤＮ（Ｆｕｌｌｙ  Ｑｕａｌｉｆｉｅｄ  Ｄｏｍａｉｎ  Ｎａｍｅ）、ＳＭＦのＩＰアドレスおよびＳＭＦのＴＥＩＤ（Ｔｕｎｎｅｌ  Ｅｎｄｐｏｉｎｔ  Ｉｄｅｎｔｉｆｉｅｒ）のうちのいずれか１つまたは複数である。
【００１２】
選択可能に、前記ルーティング方法において、前記ＡＭＦによって、前記ルーティング情報と前記ルーティング情報に対応するＳＭＦとの間のルーティング関係を記憶することをさらに含む。
【００１３】
本開示の実施例の第２の態様によれば、セッション関連情報および前記セッション関連情報に関連するルーティング情報を含む第１メッセージを（Ｒ）ＡＮからＡＭＦに送信することを含み、前記ルーティング情報が、前記ＡＭＦによって前記セッション関連情報を正しいＳＭＦにルーティングすることに用いられるルーティング方法が提供される。
【００１４】
選択可能に、前記方法は、第１メッセージを（Ｒ）ＡＮからＡＭＦに送信する前に、さらに、セッション関連情報および前記セッション関連情報に関連するルーティング情報を含む第２メッセージを、前記（Ｒ）ＡＮが前記ＡＭＦから受信することを含み、ここで、前記第１メッセージは、前記第２メッセージの確認メッセージである。
【００１５】
選択可能に、前記ルーティング情報は、ＰＤＵセッションＩＤ、ＡＭＦによって割り当てられたＩＤ、ＳＭＦの情報のうちのいずれか１つまたは複数である。
【００１６】
選択可能に、前記ＡＭＦによって割り当てられたＩＤは、ＡＭＦによって、セッション関連情報を含む第３メッセージをＳＭＦから受信する際に割り当てたＩＤであって、セッション関連情報に対応する一時的なＩＤである。
【００１７】
選択可能に、前記ＳＭＦの情報は、ＳＭＦのＩＤ、ＳＭＦのＦＱＤＮ、ＳＭＦのＩＰアドレスおよびＳＭＦのＴＥＩＤのうちのいずれか１つまたは複数である。
【００１８】
本開示の実施例の第３の態様によれば、セッション関連情報および前記セッション関連情報に関連するルーティング情報を含む第１メッセージを（Ｒ）ＡＮから受信することに用いられる第１受信モジュールと、前記ルーティング情報に基づいて前記セッション関連情報を正しいＳＭＦにルーティングすることに用いられるルーティングモジュールとを含むルーティング装置が提供される。
【００１９】
選択可能に、前記ルーティング装置は、セッション関連情報および前記セッション関連情報に関連するルーティング情報を含む第２メッセージを前記（Ｒ）ＡＮに送信することに用いられる第１送信モジュールをさらに含み、ここで、前記第１メッセージは、前記第２メッセージの確認メッセージである。
【００２０】
選択可能に、前記第１送信モジュールは、さらに、複数のＳＭＦから受信したセッション関連情報を、各セッション関連情報に関連するルーティング情報が付帯される１つの第２メッセージに合併させることと、前記第２メッセージを前記（Ｒ）ＡＮに送信することとに用いられる。
【００２１】
選択可能に、前記第１送信モジュールは、さらに、前記第２メッセージを確認する第１メッセージを前記（Ｒ）ＡＮから受信すると、セッション関連情報に関連するルーティング情報に基づいて正しいＳＭＦを特定し、前記セッション関連情報を前記ＳＭＦに送信することに用いられる。
【００２２】
選択可能に、前記ルーティング情報は、ＰＤＵセッションＩＤ、ＡＭＦによって割り当てられたＩＤ、ＳＭＦの情報のうちのいずれか１つまたは複数である。
【００２３】
選択可能に、前記ＡＭＦによって割り当てられたＩＤは、ＡＭＦによって、セッション関連情報を含む第３メッセージをＳＭＦから受信する際に割り当てたＩＤであって、セッション関連情報に対応する一時的なＩＤである。
【００２４】
選択可能に、前記ＳＭＦの情報は、ＳＭＦのＩＤ、ＳＭＦのＦＱＤＮ、ＳＭＦのＩＰアドレスおよびＳＭＦのＴＥＩＤのうちのいずれか１つまたは複数である。
【００２５】
選択可能に、前記ルーティング装置は、前記ルーティング情報と前記ルーティング情報に対応するＳＭＦとの間のルーティング関係を記憶することに用いられる記憶モジュールをさらに含む。
【００２６】
本開示の実施例の第４の態様によれば、セッション関連情報および前記セッション関連情報に関連するルーティング情報を含む第１メッセージをＡＭＦに送信することに用いられる第２送信モジュールを含み、前記ルーティング情報が、前記ＡＭＦによって前記セッション関連情報を正しいＳＭＦにルーティングすることに用いられるルーティング装置が提供される。
【００２７】
選択可能に、前記ルーティング装置は、セッション関連情報および前記セッション関連情報に関連するルーティング情報を含む第２メッセージを前記ＡＭＦから受信することに用いられる第２受信モジュールをさらに含み、ここで、前記第１メッセージは、前記第２メッセージの確認メッセージである。
【００２８】
選択可能に、前記ルーティング情報は、ＰＤＵセッションＩＤ、ＡＭＦによって割り当てられたＩＤ、ＳＭＦの情報のうちのいずれか１つまたは複数である。
【００２９】
選択可能に、前記ＡＭＦによって割り当てられたＩＤは、ＡＭＦによって、セッション関連情報を含む第３メッセージをＳＭＦから受信する際に割り当てたＩＤであって、セッション関連情報に対応する一時的なＩＤである。
【００３０】
選択可能に、前記ＳＭＦの情報は、ＳＭＦのＩＤ、ＳＭＦのＦＱＤＮ、ＳＭＦのＩＰアドレスおよびＳＭＦのＴＥＩＤのうちのいずれか１つまたは複数である。
【００３１】
本開示の実施例の第５の態様によれば、プロセッサと、メモリと、前記メモリに記憶されて前記プロセッサで実行可能なコンピュータプログラムとを含むＡＭＦ機器であって、前記コンピュータプログラムが前記プロセッサによって実行されると、第１の態様に記載のルーティング方法のステップが実行されるＡＭＦ機器が提供される。
【００３２】
本開示の実施例の第６の態様によれば、プロセッサと、メモリと、前記メモリに記憶されて前記プロセッサで実行可能なコンピュータプログラムとを含む（Ｒ）ＡＮ機器であって、前記コンピュータプログラムが前記プロセッサによって実行されると、第２の態様に記載のルーティング方法のステップが実行される（Ｒ）ＡＮ機器が提供される。
【００３３】
本開示の実施例の第７の態様によれば、コンピュータプログラムが記憶されているコンピュータ読み取り可能な記憶媒体であって、前記コンピュータプログラムがプロセッサによって実行されると、第１の態様に記載のルーティング方法のステップが実行されるコンピュータ読み取り可能な記憶媒体が提供される。
【００３４】
本開示の実施例の第８の態様によれば、コンピュータプログラムが記憶されているコンピュータ読み取り可能な記憶媒体であって、前記コンピュータプログラムがプロセッサによって実行されると、第２の態様に記載のルーティング方法のステップが実行されるコンピュータ読み取り可能な記憶媒体が提供される。
【発明の効果】
【００３５】
セッション関連情報および前記セッション関連情報に関連するルーティング情報を含む第１メッセージを（Ｒ）ＡＮからＡＭＦによって受信し、そして、ＡＭＦによって、ルーティング情報に基づいてセッション関連情報を正しいＳＭＦにルーティングすることによって、セッション関連情報を（Ｒ）ＡＮとＳＭＦとの間で正しくルーティングすることを実現する。
【図面の簡単な説明】
【００３６】
本開示の実施例や従来技術の技術手段をより明確に説明するために、以下、実施例の記載に必要とされる図面を簡単に紹介する。明らかに、以下の記載に関する図面は、単に本開示の一部の実施例である。当業者にとって、創造性のある作業をしない前提で、これらの図面から他の図面を得ることもできる。
【００３７】
【図１】図１は、ＵＥによって引き起こされるｓｅｒｖｉｃｅ  ｒｅｑｕｅｓｔプロセスを示す。
【図２】図２は、本開示の実施例１におけるルーティング方法のフローチャートである。
【図３】図３は、本開示の実施例２におけるルーティング方法のフローチャートである。
【図４】図４は、本開示の実施例３において、ルーティング情報がＰＤＵセッションＩＤである場合のシグナリングプロセスを示す。
【図５】図５は、本開示の実施例４において、ルーティング情報がＳＭＦの情報である場合のシグナリングプロセスを示す。
【図６】図６は、本開示の実施例５において、ルーティング情報がＡＭＦによって割り当てられたＩＤである場合のプロセスを示す。
【図７】図７は、本開示の実施例６において、ＡＭＦが、ＵＥにサービスを提供する複数のＳＭＦからＳＭ情報を受信した場合、ＳＭ情報の合併や分解を行ってメッセージのルーティングを完成させるプロセスを示す。
【図８】図８は、本開示の実施例７におけるルーティング装置のブロック図である。
【図９】図９は、本開示の実施例８におけるルーティング装置のブロック図である。
【図１０】図１０は、本開示の実施例９におけるルーティング装置のブロック図である。
【図１１】図１１は、本開示の実施例１０におけるルーティング装置のブロック図である。
【発明を実施するための形態】
【００３８】
以下、添付図面を参照して本開示の例示的な実施例をさらに詳細に記載する。本開示の例示的な実施例を図面に示しているが、本開示は、ここで説明した実施例に限定されることなく様々な形態で実現されうることが理解されるべきである。これらの実施例を示すことは、本開示をより徹底的に理解してもらい、本開示の範囲を当業者に全面的に伝えるためである。
実施例１
【００３９】
まず、図１を参照する。図１は、ＵＥによって引き起こされるｓｅｒｖｉｃｅ  ｒｅｑｕｅｓｔ（サービスリクエスト）プロセスを示す。具体的なステップは、以下である。
【００４０】
ステップ１において、ＵＥは、ＭＭ  ＮＡＳサービスリクエストメッセージを（Ｒ）ＡＮに送信する。リクエストメッセージが、ＰＤＵ（Ｐｒｏｔｏｃｏｌ  Ｄａｔａ  Ｕｎｉｔ）セッションＩＤ（識別子）、セキュリティパラメータ、ＰＤＵセッション状態を含む。ＵＥは、当該ＮＡＳ（非アクセス層）メッセージをＲＲＣ（Ｒａｄｉｏ  Ｒｅｓｏｕｒｃｅ  Ｃｏｎｔｒｏｌ）メッセージにパッケージして（Ｒ）ＡＮ（（Ｒａｄｉｏ）Ａｃｃｅｓｓ  Ｎｅｔｗｏｒｋ）に送信する。当該ＲＲＣメッセージのパラメータが、一時的なＩＤとＮＡＳメッセージを含む。ＵＥは、上位レイヤから生じたユーザデータをトリガー条件としてサービスリクエストを実行する場合、ＵＥから活性化が望まれるＰＤＵセッションを示すＰＤＵセッションＩＤをＮＡＳサービスリクエストメッセージに含ませる。ＵＥは、シグナリング接続のみを確立するのであれば、ＰＤＵセッションＩＤを送信する必要がない。当該プロセスが、ページングメッセージをトリガーにＵＥによって引き起こされる場合に、ＵＥは、ＰＤＵセッションを活性化する必要があれば、ＵＥから活性化が望まれるＰＤＵセッションを示すＰＤＵセッションＩＤをＮＡＳセッションリクエストメッセージに含ませる。そうでなければ、ＵＥは、ＰＤＵセッションＩＤをリクエストメッセージに一切含ませない。ＰＤＵセッション状態は、ＵＥで利用可能なＰＤＵセッションを示す。
【００４１】
ステップ２において、（Ｒ）ＡＮからＡＭＦ（アクセスおよびモビリティ管理機能）にＮ２メッセージを送信する。Ｎ２メッセージが、ＮＡＳサービスリクエスト、一時的なＩＤ、位置情報、ＲＡＴ（Ｒａｄｉｏ  Ａｃｃｅｓｓ  Ｔｅｃｈｎｏｌｏｇｉｅｓ）の種類、ＲＲＣ確立原因を含む。（Ｒ）ＡＮは、一時的なＩＤに基づいてＡＭＦを選択する。位置情報およびＲＡＴの種類は、ＵＥが滞在するセルに関連する。
【００４２】
ステップ３において、サービスリクエストについて完全性保護が行われずまたは完全性保護の検査に失敗したのであれば、ＡＭＦは、ＮＡＳ認証／セキュリティプロセスを引き起こす。ＵＥは、シグナリング接続の確立を望むのであれば、セキュリティのやり取りが終わった後に、アップリングシグナリングを送信すればよいが、当該プロセスの後続のステップを引き続き実行する必要がない。
【００４３】
ステップ４は、以下２つのステップを含む。
ステップ４ａにおいて、（オプション）ＡＭＦによってＮ１１メッセージをＳＭＦ（Ｓｅｓｓｉｏｎ  Ｍａｎａｇｅｍｅｎｔ  Ｆｕｎｃｔｉｏｎ）に送信し、Ｎ１１メッセージがＰＤＵセッションＩＤを含む。
ステップ４ｂにおいて、（オプション）ＳＭＦによってＮ１１メッセージをＡＭＦに送信し、Ｎ１１メッセージは、Ｎ２  ＳＭメッセージである。Ｎ２  ＳＭメッセージが、ＱｏＳ（Ｑｕａｌｉｔｙ  ｏｆ  Ｓｅｒｖｉｃｅ）属性、ＣＮ  Ｎ３トンネル情報を含む。ＳＭＦは、ステップ４ａでのメッセージを受信すると、Ｎ１１メッセージをＡＭＦに送信してＰＤＵセッションのユーザプレーンを確立する。Ｎ２  ＳＭメッセージには、ＡＭＦから（Ｒ）ＡＮに提供される情報を含む。
【００４４】
ステップ５において、（オプション）ＡＭＦによってＮ２リクエストメッセージを（Ｒ）ＡＮに送信する。Ｎ２リクエストメッセージが、ＳＭＦから受信したＮ２  ＳＭメッセージ、セキュリティコンテキスト、ＡＭＦシグナリング接続ＩＤ、切替制限リストおよびＮＡＳサービス受け入れを含む。（Ｒ）ＡＮは、セキュリティコンテキスト、ＡＭＦシグナリング接続ＩＤ、活性化されたＰＤＵセッションのＱｏＳフローのＱｏＳ情報およびＮ３トンネルＩＤをＵＥのコンテキストに記憶する。ＮＡＳサービス受け入れメッセージには、ＡＭＦでのＰＤＵセッション状態を含む。
【００４５】
ステップ６において、（Ｒ）ＡＮは、活性化されたＰＤＵセッションのＱｏＳフローのＱｏＳ情報に基づいて、ＲＲＣ接続再配置プロセスを実行する。（Ｒ）ＡＮは、ＮＡＳサービス受け入れメッセージをＵＥに送信する。ＵＥは、コアネットワークで活性化されていないＰＤＵセッションのコンテキストを削除する。
【００４６】
ステップ７において、ユーザプレーンの無線リソースが確立されると、ＵＥから送信されたアップリンクデータは、（Ｒ）ＡＮに送信される。（Ｒ）ＡＮは、上記データをステップ４のＵＰＦ（Ｕｓｅｒ Ｐｏｒｔ Ｆｕｎｃｔｉｏｎ）に送信する。
【００４７】
ステップ８において、（オプション）（Ｒ）ＡＮは、Ｎ２リクエスト確認メッセージをＡＭＦに送信する。Ｎ２リクエスト確認メッセージが、Ｎ２  ＳＭ情報を含む。当該情報は、（Ｒ）ＡＮトンネル情報、活性化されたＰＤＵセッションの受け入れられたＱｏＳフロー、活性化されたＰＤＵセッションの拒絶されたＱｏＳフローを含む。ＡＭＦは、ステップ５でＮ２メッセージをそれぞれ送信したのであれば、独立なＮ２  ＳＭメッセージでＮ２  ＳＭ情報を返信する。
【００４８】
ステップ９において、（オプション）ＡＭＦは、受け入れられたＰＤＵセッション毎に、Ｎ２  ＳＭ情報とＲＡＴの種類が含まれるＮ１１メッセージをＳＭＦに送信する。ここで、Ｎ２  ＳＭ情報が、（Ｒ）ＡＮトンネル情報を含む。
【００４９】
ステップ１０において、（オプション）動的ＰＣＣ（ポリシー課金制御）が設定されたのであれば、ＳＭＦは、ＩＰ−ＣＡＮセッション修正プロセスを引き起こして新規の位置情報をＰＣＦに提供する。
【００５０】
ステップ１１は、以下２つのステップを含む。
ステップ１１ａにおいて、（オプション）ＳＭＦは、Ｎ４セッション更新要求をＵＰＦに送信する。Ｎ４セッション更新要求が（Ｒ）ＡＮトンネル情報を含む。ユーザプレーンの確立や更新が必要であれば、ＳＭＦは、Ｎ４セッション修正プロセスを引き起こして（Ｒ）ＡＮトンネル情報を提供する。
ステップ１１ｂにおいて、（オプション）ＵＰＦは、Ｎ４セッション更新応答をＳＭＦに送信する。
【００５１】
ステップ１２において、ＳＭＦは、Ｎ１１メッセージ確認メッセージをＡＭＦに送信する。
【００５２】
さらに、図２を参照する。図２は、ルーティング方法を示す。具体的なステップは、以下である。
【００５３】
ステップ２０１において、セッション関連情報および前記セッション関連情報に関連するルーティング情報を含む第１メッセージをＡＭＦによって（Ｒ）ＡＮに送信する。
【００５４】
上記ＡＭＦは、アクセス管理機能であり、または、アクセス管理機能エンティティと称されてもよい。
【００５５】
上記セッション関連情報は、セッション管理情報であり、たとえばＮ２  ＳＭ情報である。
【００５６】
上記ルーティング情報は、関連情報と称されてもよく、ＰＤＵセッションＩＤ、ＡＭＦによって割り当てられたＩＤ、ＳＭＦの情報のうちのいずれか１つまたは複数である。ＰＤＵセッションＩＤ（ＰＤＵ  Ｓｅｓｓｉｏｎ  ＩＤ）を例とすると、上記ルーティング情報（関連情報）によって、ＡＭＦから応答を正しいＳＭＦ（すなわち関連ＳＭＦ）に関連付ける。ここで、正しいＳＭＦは、たとえばＮ２  ＳＭメッセージを処理可能な関連ＳＭＦである。しかし、本開示では、これに限られない。
【００５７】
ここで、選択可能に、ＡＭＦによって割り当てられたＩＤは、ＡＭＦによって、セッション関連情報を含む第３メッセージをＳＭＦから受信する際に割り当てたＩＤであって、セッション関連情報に対応する一時的なＩＤであり、下記の実施例５を参照されたい。
【００５８】
ここで、選択可能に、ＳＭＦの情報は、ＳＭＦのＩＤ、ＳＭＦのＦＱＤＮ（Ｆｕｌｌｙ  Ｑｕａｌｉｆｉｅｄ  Ｄｏｍａｉｎ  Ｎａｍｅ）、ＳＭＦのＩＰアドレスおよびＳＭＦのＴＥＩＤ（Ｔｕｎｎｅｌ  Ｅｎｄｐｏｉｎｔ  Ｉｄｅｎｔｉｆｉｅｒ）のうちのいずれか１つまたは複数である。
【００５９】
ステップ２０２において、ＡＭＦによって、ルーティング情報に基づいて前記セッション関連情報を正しいＳＭＦ（すなわち関連ＳＭＦ）にルーティングする。
【００６０】
上記ＳＭＦは、セッション管理機能であり、または、セッション管理機能エンティティと称されてもよい。
【００６１】
本実施例において、選択可能に、前記方法は、第１メッセージを（Ｒ）ＡＮからＡＭＦによって受信する前に、さらに、セッション関連情報および前記セッション関連情報に関連するルーティング情報を含む第２メッセージをＡＭＦによって（Ｒ）ＡＮに送信することを含み、ここで、前記第１メッセージは、前記第２メッセージの確認メッセージである。たとえば、図４のステップ４０２、図５のステップ５０２を参照する。
【００６２】
本実施例において、選択可能に、第２メッセージを前記ＡＭＦによって（Ｒ）ＡＮに送信することは、ＡＭＦによって、複数のＳＭＦから受信したセッション関連情報を、各セッション関連情報に関連するルーティング情報が付帯される１つの第２メッセージに合併させることと、前記ＡＭＦによって前記第２メッセージを前記（Ｒ）ＡＮに送信することとを含む。たとえば、図７のステップ７０２を参照する。
【００６３】
本実施例において、選択可能に、ステップ２０２（すなわち、ＡＭＦによって、前記ルーティング情報に基づいて前記セッション関連情報を正しいＳＭＦ（すなわち関連ＳＭＦ）にルーティングすること）は、ＡＭＦによって、前記第２メッセージを確認する第１メッセージを前記（Ｒ）ＡＮから受信すると、セッション関連情報に関連するルーティング情報に基づいて正しいＳＭＦを特定し、前記セッション関連情報を前記ＳＭＦに送信することを含む。
【００６４】
本実施例において、選択可能に、前記方法は、前記ＡＭＦによって、前記ルーティング情報と前記ルーティング情報に対応するＳＭＦとの間のルーティング関係を記憶することをさらに含む。
【００６５】
よって、上記ステップ２０１〜２０２によって、（Ｒ）ＡＮとＳＭＦとの間でセッション関連情報を正しくルーティングすることを実現する。
実施例２
【００６６】
図３を参照する。図３は、ルーティング方法を示す。具体的なステップは、以下である。
【００６７】
ステップ３０１において、セッション関連情報および前記セッション関連情報に関連するルーティング情報を含む第１メッセージを（Ｒ）ＡＮによってＡＭＦに送信する。前記ルーティング情報は、前記ＡＭＦによって前記セッション関連情報を正しいＳＭＦにルーティングすることに用いられる。
【００６８】
上記ＡＭＦは、アクセス管理機能であり、または、アクセス管理機能エンティティと称されてもよい。
【００６９】
上記セッション関連情報は、セッション管理情報であり、たとえばＮ２  ＳＭ情報である。
【００７０】
上記ルーティング情報は、ＰＤＵセッションＩＤ、ＡＭＦによって割り当てられたＩＤ、ＳＭＦの情報のうちのいずれか１つまたは複数である。
【００７１】
ここで、選択可能に、ＡＭＦによって割り当てられたＩＤは、ＡＭＦによって、セッション関連情報を含む第３メッセージをＳＭＦから受信する際に割り当てたＩＤであって、セッション関連情報に対応する一時的なＩＤであり、下記の実施例５を参照されたい。
【００７２】
ここで、選択可能に、ＳＭＦの情報は、ＳＭＦのＩＤ、ＳＭＦのＦＱＤＮ、ＳＭＦのＩＰアドレスおよびＳＭＦのＴＥＩＤのうちのいずれか１つまたは複数である。
【００７３】
本実施例において、選択可能に、前記方法は、第１メッセージを（Ｒ）ＡＮからＡＭＦに送信する前に、さらに、セッション関連情報および前記セッション関連情報に関連するルーティング情報を含む第２メッセージを、（Ｒ）ＡＮが前記ＡＭＦから受信することを含み、ここで、前記第１メッセージは、前記第２メッセージの確認メッセージである。
【００７４】
上記ステップによって、（Ｒ）ＡＮとＳＭＦとの間でセッションに関する情報を正しくルーティングすることを実現する。
実施例３
【００７５】
本実施例は、ルーティング情報がＰＤＵセッションＩＤである場合のシグナリングプロセスを記載する。
【００７６】
図４は、ルーティングのフローチャートを示す。具体的なステップは、以下である。
【００７７】
ステップ４０１において、ＳＭＦから、Ｎ２  ＳＭ情報とＰＤＵセッションＩＤが含まれるＮ１１メッセージをＡＭＦに送信する。
【００７８】
ステップ４０２において、ＡＭＦから、Ｎ２  ＳＭ情報とＰＤＵセッションＩＤが含まれるＮ２リクエストメッセージを（Ｒ）ＡＮに送信する。
【００７９】
ステップ４０３において、（Ｒ）ＡＮから、Ｎ２  ＳＭ情報とＰＤＵセッションＩＤが含まれるＮ２リクエスト確認メッセージをＡＭＦに返信する。
【００８０】
ステップ４０４において、ＡＭＦは、ＰＤＵセッションＩＤに基づいてＵＥのコンテキストを検索して関連ＳＭＦを確定し、Ｎ２  ＳＭ情報が含まれるＮ１１メッセージをＳＭＦに送信する。
【００８１】
上記ステップ４０１〜４０４によって、（Ｒ）ＡＮとＳＭＦとの間でセッションに関する情報を正しくルーティングすることを実現する。
実施例４
【００８２】
本実施例は、ルーティング情報がＳＭＦの情報である場合のシグナリングプロセスを記載する。
【００８３】
図５は、ルーティングのフローチャートを示す。具体的なステップは、以下である。
【００８４】
ステップ５０１において、ＳＭＦから、Ｎ２  ＳＭ情報が含まれるＮ１１メッセージをＡＭＦに送信する。
【００８５】
ステップ５０２において、ＡＭＦから、Ｎ２  ＳＭ情報とＳＭＦの情報が含まれるＮ２リクエストメッセージを（Ｒ）ＡＮに送信する。ＳＭＦの情報は、ＳＭＦのＩＤまたはＩＰアドレスであるが、もちろんこれらに限られない。
【００８６】
ステップ５０３において、（Ｒ）ＡＮから、Ｎ２  ＳＭ情報とＳＭＦの情報が含まれるＮ２リクエスト確認メッセージをＡＭＦに返信する。
【００８７】
ステップ５０４において、ＡＭＦは、ＳＭＦの情報に基づいて、Ｎ２  ＳＭ情報が含まれるＮ１１メッセージをＳＭＦに送信する。
【００８８】
上記ステップ５０１〜５０４によって、（Ｒ）ＡＮとＳＭＦとの間でセッションに関する情報を正しくルーティングすることを実現する。
実施例５
【００８９】
本実施例は、ルーティング情報がＡＭＦによって割り当てられたＩＤである場合のプロセスを記載する。
【００９０】
図６は、ルーティングのフローチャートを示す。具体的なステップは、以下である。
【００９１】
ステップ６０１において、ＳＭＦから、Ｎ２  ＳＭ情報が含まれるＮ１１メッセージをＡＭＦに送信する。
【００９２】
ステップ６０２において、ＡＭＦから、１つの一時的なＩＤを割り当て、一時的なＩＤと受信したＮ１１メッセージとのマッピング関係をローカルに記憶し、Ｎ２  ＳＭ情報とＡＭＦによって割り当てられたＩＤが含まれるＮ２リクエストメッセージを（Ｒ）ＡＮに送信する。
【００９３】
ステップ６０３において、（Ｒ）ＡＮから、Ｎ２  ＳＭ情報とＡＭＦによって割り当てられたＩＤが含まれるＮ２リクエスト確認メッセージをＡＭＦに返信する。
【００９４】
ステップ６０４において、ＡＭＦは、ＡＭＦによって割り当てられたＩＤに基づいて、当該ＩＤに関連するＮ１１メッセージを検索し、当該Ｎ１１メッセージに関連する応答メッセージを生成し、Ｎ２  ＳＭ情報が含まれるＮ１１メッセージをＳＭＦに送信する。
【００９５】
上記ステップ６０１〜６０４によって、（Ｒ）ＡＮとＳＭＦとの間でセッションに関する情報を正しくルーティングすることを実現する。
実施例６
【００９６】
本実施例は、ＡＭＦが、ＵＥにサービスを提供する複数のＳＭＦからＳＭ情報を受信した場合、ＳＭ情報の合併や分解を行ってメッセージのルーティングを完成させるプロセスを記載する。
【００９７】
図７は、ルーティングのフローチャートを示す。具体的なステップは、以下である。
【００９８】
ステップ７０１ａにおいて、ＡＭＦは、ＳＭＦ１からＮ１１メッセージを受信する。Ｎ１１メッセージがＮ２  ＳＭ情報１を含む。
ステップ７０１ｂにおいて、ＡＭＦは、ＳＭＦ２からＮ１１メッセージを受信する。Ｎ１１メッセージがＮ２  ＳＭ情報２を含む。
【００９９】
ステップ７０２において、２本のＮ１１メッセージが同一のＵＥに関連するため、ＡＭＦは、１本のＮ２リクエストメッセージを形成する。当該１本のＮ２リクエストメッセージには、Ｎ２  ＳＭ情報１、情報１のルーティング情報（すなわちルーティング情報１）、Ｎ２  ＳＭ情報２、情報２のルーティング情報（すなわちルーティング情報２）が付帯される。ＡＭＦは、Ｎ２リクエストメッセージを（Ｒ）ＡＮに送信する。
【０１００】
ステップ７０３において、（Ｒ）ＡＮは、リクエストメッセージにおける各Ｎ２  ＳＭ情報を処理し、対応する応答情報を形成する。そして、Ｎ２リクエスト確認メッセージをＡＭＦに送信する。Ｎ２リクエスト確認メッセージは、Ｎ２  ＳＭ情報１、情報１のルーティング情報（すなわちルーティング情報１）、Ｎ２  ＳＭ情報２、情報２のルーティング情報（すなわちルーティング情報２）を含む。
【０１０１】
ステップ７０４において、ＡＭＦは、（Ｒ）ＡＮから返信されたＮ２リクエスト確認メッセージを受信すると、＜Ｎ２  ＳＭ情報，ルーティング情報＞の情報ペア（ｐａｉｒ）におけるルーティング情報に基づいて、Ｎ２  ＳＭ情報をどのＳＭＦに送信するかを特定し、（Ｒ）ＡＮから返信されたＮ２  ＳＭ情報が付帯されたＮ１１メッセージを当該ＳＭＦに送信する。
【０１０２】
上記プロセスは、サービスリクエストプロセスで生じる。たとえばＵＥがサービスリクエストメッセージに複数のＰＤＵセッションＩＤを付帯させた場合、これらのＰＤＵセッションのサービングＳＭＦが異なるのであれば、ＡＭＦは、これら複数のＳＭＦをトリガーし、対応するＰＤＵセッションのユーザプレーンの接続を活性化する必要がある。当該プロセスにおいて、ＡＭＦは、異なるＳＭＦからＮ１１メッセージを受信することができ、かつＡＭＦがこれらのＮ１１メッセージを受信した時間は、ほぼ同一である。
【０１０３】
上記ステップ７０１〜７０４によって、（Ｒ）ＡＮとＳＭＦとの間でセッションに関する情報を正しくルーティングすることを実現する。
実施例７
【０１０４】
同一の発明思想に基づいて、本開示の実施例は、ルーティング装置をさらに提供する。当該ルーティング装置は、問題を解決する原理が本開示の実施例の図２、図４〜図７におけるルーティング方法に似るため、その実施について方法の実施を参照されたく、重複なところを繰り返して記載しない。
【０１０５】
図８には、ルーティング装置が示されている。当該ルーティング装置８００は、セッション関連情報および前記セッション関連情報に関連するルーティング情報を含む第１メッセージを（Ｒ）ＡＮから受信することに用いられる第１受信モジュール８０１と、前記ルーティング情報に基づいて前記セッション関連情報を正しいＳＭＦにルーティングすることに用いられるルーティングモジュール８０２とを含む。
【０１０６】
本実施例において、選択可能に、前記ルーティング装置は、セッション関連情報および前記セッション関連情報に関連するルーティング情報を含む第２メッセージを前記（Ｒ）ＡＮに送信することに用いられる第１送信モジュールをさらに含み、ここで、前記第１メッセージは、前記第２メッセージの確認メッセージである。
【０１０７】
本実施例において、選択可能に、前記第１送信モジュールは、さらに、複数のＳＭＦから受信したセッション関連情報を、各セッション関連情報に関連するルーティング情報が付帯される１つの第２メッセージに合併させることと、前記第２メッセージを前記（Ｒ）ＡＮに送信することとに用いられる。
【０１０８】
本実施例において、選択可能に、前記第１送信モジュールは、さらに、前記第２メッセージを確認する第１メッセージを前記（Ｒ）ＡＮから受信すると、セッション関連情報に関連するルーティング情報に基づいて正しいＳＭＦを特定し、前記セッション関連情報を前記ＳＭＦに送信することに用いられる。
【０１０９】
本実施例において、選択可能に、前記ルーティング情報は、ＰＤＵセッションＩＤ、ＡＭＦによって割り当てられたＩＤ、ＳＭＦの情報のうちのいずれか１つまたは複数である。
【０１１０】
本実施例において、選択可能に、前記ＡＭＦによって割り当てられたＩＤは、ＡＭＦによって、セッション関連情報を含む第３メッセージをＳＭＦから受信する際に割り当てたＩＤであって、セッション関連情報に対応する一時的なＩＤである。
【０１１１】
本実施例において、選択可能に、前記ＳＭＦの情報は、ＳＭＦのＩＤ、ＳＭＦのＦＱＤＮ、ＳＭＦのＩＰアドレスおよびＳＭＦのＴＥＩＤのうちのいずれか１つまたは複数である。
【０１１２】
本実施例において、選択可能に、前記ルーティング装置は、前記ルーティング情報と前記ルーティング情報に対応するＳＭＦとの間のルーティング関係を記憶することに用いられる記憶モジュールをさらに含む。
実施例８
【０１１３】
同一の発明思想に基づいて、本開示の実施例は、ルーティング装置をさらに提供する。当該ルーティング装置は、問題を解決する原理が本開示の実施例の図３〜図７におけるルーティング方法に似るため、その実施について方法の実施を参照されたく、重複なところを繰り返して記載しない。
【０１１４】
図９には、ルーティング装置が示されている。当該ルーティング装置９００は、セッション関連情報および前記セッション関連情報に関連するルーティング情報を含む第１メッセージをＡＭＦに送信することに用いられる第２送信モジュール９０１を含み、前記ルーティング情報は、前記ＡＭＦによって前記セッション関連情報を正しいＳＭＦにルーティングすることに用いられる。
【０１１５】
本実施例において、選択可能に、前記ルーティング装置は、セッション関連情報および前記セッション関連情報に関連するルーティング情報を含む第２メッセージを前記ＡＭＦから受信することに用いられる第２受信モジュール（図示せず）をさらに含み、ここで、前記第１メッセージは、前記第２メッセージの確認メッセージである。
【０１１６】
本実施例において、選択可能に、前記ルーティング情報は、ＰＤＵセッションＩＤ、ＡＭＦによって割り当てられたＩＤ、ＳＭＦの情報のうちのいずれか１つまたは複数である。
【０１１７】
本実施例において、選択可能に、前記ＡＭＦによって割り当てられたＩＤは、ＡＭＦによって、セッション関連情報を含む第３メッセージをＳＭＦから受信する際に割り当てたＩＤであって、セッション関連情報に対応する一時的なＩＤである。
【０１１８】
本実施例において、選択可能に、前記ＳＭＦの情報は、ＳＭＦのＩＤ、ＳＭＦのＦＱＤＮ、ＳＭＦのＩＰアドレスおよびＳＭＦのＴＥＩＤのうちのいずれか１つまたは複数である。
実施例９
【０１１９】
同一の発明思想に基づいて、本開示の実施例は、ルーティング装置をさらに提供する。当該ルーティング装置は、問題を解決する原理が本開示の実施例の図２、図４〜図７におけるルーティング方法に似るため、その実施について方法の実施を参照されたく、重複なところを繰り返して記載しない。
【０１２０】
図１０を参照する。本開示の実施例は、ルーティング装置を提供する。当該ルーティング装置は、第１プロセッサ１００４と、第１プロセッサ１００４による制御下でデータを送受信することに用いられる第１トランシーバ１００１を含む。第１プロセッサ１００４は、第１メモリ１００５からプログラムを読み取ることによって、セッション関連情報および前記セッション関連情報に関連するルーティング情報を含む第１メッセージを（Ｒ）ＡＮから受信するプロセスと、前記ルーティング情報に基づいて前記セッション関連情報を正しいＳＭＦにルーティングするプロセスとを実行することに用いられる。
【０１２１】
図１０において、バスアーキテクチャ（第１バス１０００で示す）は、任意数の相互接続するバスとブリッジを含む。第１バス１０００は、第１プロセッサ１００４をはじめとする１つ又は複数のプロセッサと第１メモリ１００５をはじめとするメモリとを含む各種類の回路を接続したものである。第１バス１０００は、周辺イクイップメント、レギュレーター、電力管理回路などの各種類のほかの回路を接続したものであってもよい。これらは、いずれも本分野の公知事項であり、本文においてさらなる記載をしない。第１バスインタフェース１００３により、第１バス１０００と第１トランシーバ１００１との間でインタフェースが提供される。第１トランシーバ１００１は、１つの部品であってもよく、複数の受信機および送信機など、複数の部品であってもよく、伝送媒体でほかの各種類の装置と通信するユニットとして提供される。第１プロセッサ１００４によって処理されたデータは、第１トランシーバ１００１と第１アンテナ１００２を介して無線媒体で伝送される。さらに、第１アンテナ１００２は、データを受信し、データを第１トランシーバ１００１を介して第１プロセッサ１００４に伝送する。
【０１２２】
第１プロセッサ１００４は、第１バス１０００と通常の処理を管理し、さらに計時、周囲インタフェース、電圧調節、電源管理およびほかの制御機能など、様々な機能も提供する。第１メモリ１００５は、第１プロセッサ１００４による操作実行に用いられるデータを記憶ことに用いられる。具体的に、第１プロセッサ１００４は、ＣＰＵ、ＡＳＩＣ、ＦＰＧＡまたはＣＰＬＤである。
【０１２３】
選択可能に、第１プロセッサ１００４は、具体的に、セッション関連情報および前記セッション関連情報に関連するルーティング情報を含む第２メッセージを前記（Ｒ）ＡＮに送信することに用いられる。ここで、前記第１メッセージは、前記第２メッセージの確認メッセージである。
【０１２４】
選択可能に、第１プロセッサ１００４は、具体的に、複数のＳＭＦから受信したセッション関連情報を、各セッション関連情報に関連するルーティング情報が付帯される１つの第２メッセージに合併させることと、前記第２メッセージを前記（Ｒ）ＡＮに送信することとに用いられる。
【０１２５】
選択可能に、第１プロセッサ１００４は、具体的に、前記第２メッセージを確認する第１メッセージを前記（Ｒ）ＡＮから受信すると、セッション関連情報に関連するルーティング情報に基づいて正しいＳＭＦを特定し、前記セッション関連情報を前記ＳＭＦに送信することに用いられる。
【０１２６】
選択可能に、第１プロセッサ１００４は、具体的に、前記ルーティング情報と前記ルーティング情報に対応するＳＭＦとの間のルーティング関係を記憶することに用いられる。
実施例１０
【０１２７】
同一の発明思想に基づいて、本開示の実施例は、ルーティング装置をさらに提供する。当該ルーティング装置は、問題を解決する原理が本開示の実施例の図３〜図７におけるルーティング方法に似るため、その実施について方法の実施を参照されたく、重複なところを繰り返して記載しない。
【０１２８】
図１１を参照する。本開示の実施例は、ルーティング装置を提供する。当該ルーティング装置は、第２プロセッサ１１０４と、第２プロセッサ１１０４による制御下でデータを送受信することに用いられる第２トランシーバ１１０１を含む。第２プロセッサ１１０４は、第２メモリ１１０５からプログラムを読み取ることによって、セッション関連情報および前記セッション関連情報に関連するルーティング情報を含む第１メッセージをＡＭＦに送信するプロセスを実行することに用いられる。前記ルーティング情報は、前記ＡＭＦによって前記セッション関連情報を正しいＳＭＦにルーティングすることに用いられる。
【０１２９】
図１１において、バスアーキテクチャ（第２バス１１００で示す）は、任意数の相互接続するバスとブリッジを含む。第２バス１１００は、第２プロセッサ１１０４をはじめとする１つ又は複数のプロセッサと第２メモリ１１０５をはじめとするメモリとを含む各種類の回路が接続したものである。第２バス１１００は、周辺イクイップメント、レギュレーター、電力管理回路などの各種類のほかの回路を接続したものであってもよい。これらは、いずれも本分野の公知事項であり、本文においてさらなる記載をしない。第２バスインタフェース１１０３により、第２バス１１００と第２トランシーバ１１０１との間でインタフェースが提供される。第２トランシーバ１１０１は、１つの部品であってもよく、複数の受信機および送信機など、複数の部品であってもよく、伝送媒体でほかの各種類の装置と通信するユニットとして提供される。第２プロセッサ１１０４によって処理されたデータは、第２トランシーバ１１０１と第２アンテナ１１０２を介して無線媒体で伝送される。さらに、第２アンテナ１１０２は、データを受信し、データを第２トランシーバ１１０１を介して第２プロセッサ１１０４に伝送する。
【０１３０】
第２プロセッサ１１０４は、第２バス１１００と通常の処理を管理し、さらに計時、周囲インタフェース、電圧調節、電源管理およびほかの制御機能など、様々な機能も提供する。第２メモリ１１０５は、第２プロセッサ１１０４による操作実行に用いられるデータを記憶ことに用いられる。具体的に、第２プロセッサ１１０４は、ＣＰＵ、ＡＳＩＣ、ＦＰＧＡまたはＣＰＬＤである。
【０１３１】
選択可能に、第２プロセッサ１１０４は、具体的に、セッション関連情報および前記セッション関連情報に関連するルーティング情報を含む第２メッセージをＡＭＦから受信することに用いられる。ここで、前記第１メッセージは、前記第２メッセージの確認メッセージである。
【０１３２】
なお、明細書の全文にわたって言及されている「１つの実施例」や「一実施例」とは、実施例に関連する特定の特徴、構造または特性が本開示の少なくとも１つの実施例に含まれることを意味する。従って、明細書の各箇所に記載されている「１つの実施例において」や「一実施例において」とは、必ずしも同一の実施例を指すとは限らない。また、これらの特定の特徴、構造または特性は、任意かつ適切な方式で１つまたは複数の実施例に組み入れられることができる。
【０１３３】
本開示の各実施例において、上記各プロセスの番号の大きさは、実行順の前後を意味するのではなく、各プロセスの実行順は、その機能および内在的な論理によって確定されるものであり、本開示の実施例の実施プロセスに対しいっさい限定を構成しないと理解すべきである。
【０１３４】
また、本文において、「システム」と「ネットワーク」は、常に互換して使用することができる。
【０１３５】
本文において、「および／または」との用語は、関連対象の関連関係を表現するものに過ぎず、存在可能な３種類の関係を示す。例えば、Ａおよび／またはＢの場合、Ａのみ、ＡとＢの両方、Ｂのみの３種類の場合を示す。また、本文において、「／」の記号は、通常、前後の関連対象が「または」の関係であることを示す。
【０１３６】
本願に提供される実施例において、「Ａに対応するＢ」とは、ＢとＡが関連付けられることを示し、Ａに基づいてＢを確定することができる。なお、Ａに基づいてＢを確定することは、Ａのみに基づいてＢを確定するという意味ではなく、Ａおよび／または他の情報に基づいてＢを確定するのもよい。
【０１３７】
本願で提供されるいくつかの実施例において、開示された方法および装置は、他の方式で実施され得ることを理解されたい。以上記載した装置実施例は、単に例示的なものである。例えば、記載したユニットの区分は、単に論理機能の区分であり、実際に実現する際に別の区分方式がある。例えば、複数のユニットまたはコンポーネントは、組み合わせてもよく、別のシステムに一体化されてもよく、または、一部の特徴は、無視されてもよく、または実行されなくてもよい。また、示されておりまたは議論されている各構成部分の相互間の結合や直接結合や通信接続は、インタフェース、装置またはユニットを介した間接結合や通信接続であってもよく、電気的、機械的、または他の形式であってもよい。
【０１３８】
また、本開示の各実施例における各機能的ユニットは、全て１つの処理ユニットに一体化されていてもよいし、別々に１つのユニットとしてもよいし、２つ以上のユニットが１つのユニットに一体化されてもよい。上述した一体化ユニットは、ハードウェアの形態、またはハードウェアとソフトウェア機能ユニットの形態で実施することができる。
【０１３９】
上述したソフトウェア機能ユニットの形態で実施される一体化ユニットは、コンピュータ読み取り可能な記憶媒体に格納されてもよい。上記ソフトウェア機能ユニットは、記憶媒体に記憶され、本開示の各実施例の送受信方法のステップの一部をコンピュータ装置（パーソナルコンピュータ、サーバ、又はネットワーク装置であってもよい）に実行させるいくつかの指令を含む。前記の記憶媒体は、Ｕディスク、モバイルハードディスク、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスクまたは光ディスクなど、プログラムコードを格納することができる様々な媒体を含む。
【０１４０】
以上記載されたのは、本開示の好適な実施形態である。当業者は、本開示に記載されている原理を逸脱せずに様々な改良や修飾をすることもできる。これらの改良や修飾も、本開示の保護範囲内に含まれる。
【図１】
0006826207.tif 000002
【図２】
0006826207.tif 000003
【図３】
0006826207.tif 000004
【図４】
0006826207.tif 000005
【図５】
0006826207.tif 000006
【図６】
0006826207.tif 000007
【図７】
0006826207.tif 000008
【図８】
0006826207.tif 000009
【図９】
0006826207.tif 000010
【図１０】
0006826207.tif 000011
【図１１】
0006826207.tif 000012